(57)【要約】【課題】故障箇所を特定可能な空気除菌装置及びその制御方法を提供する。【解決手段】水受皿フロートスイッチ４３が水有りと検出している状態で循環ポンプ１３を運転し、電解槽フロートスイッチ４２とが水有りと検出した場合に、電極３２、３３間を流れた電流値から電解槽３１に水有りと検出すると循環ポンプ１３の異常と特定し（ステップＳａ１〜Ｓａ７）、電極３２、３３間を流れた電流値から電解槽３１に水無しと検出すると電解槽フロートスイッチ４２の異常と特定するようにした（ステップＳａ８）。【選択図】図８
2007175140.tif 000002
【特許請求の範囲】
【請求項１】
ポンプにより水受皿からの塩素イオンを含む水を電解槽に供給し、この電解槽内の一対以上の電極により電気分解された電解水を気液接触部材に滴下又は浸透させ、この気液接触部材から滴下した電解水を水受皿に貯留させる水循環運転を行うと共に、前記気液接触部材に室内の空気を送り、電解水に接触させた空気を室内に吹き出す空気除菌機構と、
前記水受皿内の水の有無を検出する水受皿水検出手段と、
前記電解槽内の水の有無を検出する電解槽水検出手段と、
前記電極間の導通検知により前記電解槽内の水の有無を検出する電解槽導通検出手段とを備え、
前記水受皿水検出手段が水有りと検出している状態で前記ポンプを運転し、この運転時に、前記電解槽水検出手段と、前記電解槽導通検出手段との検出結果の組み合わせに基づいて前記空気除菌機構の異常箇所を特定することを特徴とする空気除菌装置。
【請求項２】
前記ポンプの運転中に、前記電解槽水検出手段と前記電解槽導通検出手段とが前記電解槽内に水無しと検出した場合、前記ポンプの異常と特定することを特徴とする請求項１に記載の空気除菌装置。
【請求項３】
前記ポンプの運転中に、前記電解槽水検出手段が水無しと検出し、前記電解槽導通検出手段が水有りと検出した場合、前記電解槽水検出手段の異常と特定することを特徴とする請求項１に記載の空気除菌装置。
【請求項４】
前記電解槽は前記ポンプが運転停止すると貯留された水が自然流出して水無しとなるように構成され、
前記ポンプが運転されて、前記電解槽内に水が溜まるまでの時間が経過した後に、前記ポンプまたは前記電解槽水検出手段の異常特定処理を行うことを特徴とする請求項２または３に記載の空気除菌装置
【請求項５】
前記電解槽は前記ポンプが運転停止すると貯留された水が自然流出して水無しとなるように構成され、
前記ポンプが運転停止中に、前記電解槽水検出手段が水有りと検出し、前記電解槽が水無しとなる時間の経過後も前記電解槽水検出手段が水有りと検出した場合、この電解槽水検出手段の異常と特定することを特徴とする請求項１乃至４のいずれかに記載の空気除菌装置。
【請求項６】
空気除菌装置の運転中に、前記水受皿水検出手段が水無しを検出した場合に発行される給水要求の回数をカウントする給水要求カウント手段を備え、
この給水要求カウント手段のカウント値が予め定めた閾値を超えた場合に、前記水受皿水検出手段の異常と特定することを特徴とする請求項１乃至５のいずれかに記載の空気除菌装置。
【請求項７】
ポンプにより水受皿からの塩素イオンを含む水を電解槽に供給し、この電解槽内の一対以上の電極により電気分解された電解水を気液接触部材に滴下又は浸透させ、この気液接触部材から滴下した電解水を水受皿に貯留させる水循環運転を行うと共に、前記気液接触部材に室内の空気を送り、電解水に接触させた空気を室内に吹き出す空気除菌機構を備える空気除菌装置の制御方法において、
前記水受皿内の水の有無を検出する水受皿水検出手段が水有りと検出している状態で前記ポンプを運転し、この運転時に、前記電解槽内の水の有無を検出する電解槽水検出手段と、前記電極間の導通検知により前記電解槽内の水の有無を検出する電解槽導通検出手段との検出結果の組み合わせに基づいて前記空気除菌機構の異常箇所を特定することを特徴とする空気除菌装置の制御方法。
【発明の詳細な説明】
【技術分野】
【０００１】
本発明は、空中浮遊微生物ウィルス等の除去が可能な空気除菌装置及びその制御方法に関する。
【背景技術】
【０００２】
一般に、空中浮遊微生物ウィルス等の除去を目的として、空気中に電解水ミストを拡散させて、この電解水ミストを空中浮遊微生物に直接接触させ、ウィルス等を不活化する除菌装置が提案されている（例えば、特許文献１参照）。
【特許文献１】特開平２００２−１８１３５８号公報
【発明の開示】
【発明が解決しようとする課題】
【０００３】
しかしながら、従来のものは、電解水ミストの拡散範囲が制限されるため、大空間、例えば幼稚園や小・中・高等学校等や、介護保険施設や病院等の広い部屋では効力を発揮しにくいという問題がある。
一方、大空間の除菌を図るべく、塩素イオンを含有する水を電気分解して得た電解水を気液接触部材に滴下または浸透させて、この気液接触部材に室内の空気を送り、この電解水に接触させた空気を室内に吹き出す構成を備えたものが提案される。この構成の場合、電気分解に関わる部品が重要部品であり、かかる部品の故障箇所を正確に特定して検知することが望まれる。
そこで、本発明の目的は、上述した従来の技術が有する課題を解消し、故障箇所を特定可能な空気除菌装置及びその制御方法を提供することにある。
【課題を解決するための手段】
【０００４】
本発明は、ポンプにより水受皿からの塩素イオンを含む水を電解槽に供給し、この電解槽内の一対以上の電極により電気分解された電解水を気液接触部材に滴下又は浸透させ、この気液接触部材から滴下した電解水を水受皿に貯留させる水循環運転を行うと共に、前記気液接触部材に室内の空気を送り、電解水に接触させた空気を室内に吹き出す空気除菌機構と、前記水受皿内の水の有無を検出する水受皿水検出手段と、前記電解槽内の水の有無を検出する電解槽水検出手段と、前記電極間の導通検知により前記電解槽内の水の有無を検出する電解槽導通検出手段とを備え、前記水受皿水検出手段が水有りと検出している状態で前記ポンプを運転し、この運転時に、前記電解槽水検出手段と、前記電解槽導通検出手段との検出結果の組み合わせに基づいて前記空気除菌機構の異常箇所を特定する。
【０００５】
この場合において、前記ポンプの運転中に、前記電解槽水検出手段と前記電解槽導通検出手段とが前記電解槽内に水無しと検出した場合、前記ポンプの異常と特定してもよい。前記ポンプの運転中に、前記電解槽水検出手段が水無しと検出し、前記電解槽導通検出手段が水有りと検出した場合、前記電解槽水検出手段の異常と特定してもよい。前記電解槽は前記ポンプが運転停止すると貯留された水が自然流出して水無しとなるように構成され、前記ポンプが運転されて、前記電解槽内に水が溜まるまでの時間が経過した後に、前記ポンプまたは前記電解槽水検出手段の異常特定処理を行ってもよい。
【０００６】
また、この場合において、前記電解槽は前記ポンプが運転停止すると貯留された水が自然流出して水無しとなるように構成され、前記ポンプが運転停止中に、前記電解槽水検出手段が水有りと検出し、前記電解槽が水無しとなる時間の経過後も前記電解槽水検出手段が水有りと検出した場合、この電解槽水検出手段の異常と特定してもよい。空気除菌装置の運転中に、前記水受皿水検出手段が水無しを検出した場合に発行される給水要求の回数をカウントする給水要求カウント手段を備え、この給水要求カウント手段のカウント値が予め定めた閾値を超えた場合に、前記水受皿水検出手段の異常と特定してもよい。
【０００７】
また、本発明は、ポンプにより水受皿からの塩素イオンを含む水を電解槽に供給し、この電解槽内の一対以上の電極により電気分解された電解水を気液接触部材に滴下又は浸透させ、この気液接触部材から滴下した電解水を水受皿に貯留させる水循環運転を行うと共に、前記気液接触部材に室内の空気を送り、電解水に接触させた空気を室内に吹き出す空気除菌機構を備える空気除菌装置の制御方法において、前記水受皿内の水の有無を検出する水受皿水検出手段が水有りと検出している状態で前記ポンプを運転し、この運転時に、前記電解槽内の水の有無を検出する電解槽水検出手段と、前記電極間の導通検知により前記電解槽内の水の有無を検出する電解槽導通検出手段との検出結果の組み合わせに基づいて前記空気除菌機構の異常箇所を特定することを特徴とする。
【発明の効果】
【０００８】
本発明では、水受皿水検出手段が水有りと検出している状態でポンプを運転し、この運転時に、電解槽水検出手段と、電解槽導通検出手段との検出結果の組み合わせに基づいて空気除菌機構の異常箇所を特定することができる。
【発明を実施するための最良の形態】
【０００９】
以下、図面を参照して本発明の実施の形態について説明する。
図１において、符号１は、床置き式空気除菌装置を示す。この床置き式空気除菌装置１は、箱形の筐体２を備え、この筐体２は、脚片２Ａと、前パネル２Ｂと、天パネル２Ｃとを含み、この天パネル２Ｃの両側には、操作蓋２Ｄ、開閉蓋２Ｅがそれぞれ横並びに配置されている。この筐体２の下部には、図２に示すように、横長の吸込口３が形成され、この吸込口３の上方にはプレフィルター３Ａが配置されている。このプレフィルター３Ａの上方には送風ファン７が配置され、この送風ファン７の上方には、保水性の高い気液接触部材５が、図３に示すように、筋交い状に配置され、この気液接触部材５の上方には、横長の吹出口４が配置されている。符号８は、送風ファン７の支持板であり、この支持板８は、筐体２に支持されている。
【００１０】
この気液接触部材５は、ハニカム構造を持ったフィルタ部材であって、気体接触面積が広く確保され、電解水滴下が可能で、目詰まりしにくい構造になっている。すなわち、この気液接触部材５は、図４に示すように、波形状に曲げられた素材５Ａと、平板状の素材５Ｂとを接合し、全体としてハニカム状に形成されている。
【００１１】
これら素材５Ａ，５Ｂには、後述する電解水に反応性の少ない素材、要するに、電解水による劣化が少ない素材、例えば、ポリオレフィン系樹脂（ポリエチレン樹脂、ポリプロピレン樹脂等）、ＰＥＴ（ポリエチレン・テレフタレート）樹脂、塩化ビニル樹脂、フッ素系樹脂（ＰＴＦＥ、ＰＦＡ、ＥＴＦＥ等）またはセラミックス系材料等の素材が使用され、本構成では、これら素材５Ａ，５Ｂに、ＰＥＴ樹脂が使用されている。また、気液接触部材５には防かび作用を持つ電解水が滴下されるため、気液接触部材５に防かび対策としての防かび剤の塗布が不要になる。
【００１２】
気液接触部材５の傾斜角θは、３０°以上であることが望ましい。それ以下の場合、滴下した電解水が、気液接触部材５の傾斜に沿って流れず、下方に落下する。また、傾斜角θが９０°に近づいた場合、気液接触部材５を通過する送風経路が水平に近くなり、その分だけ上方への吹き出しが困難になる。この吹き出し方向を水平に近付けた場合、吹き出し空気を遠くに送風できなくなり、後述するように、大空間の除菌に適した装置とならない。傾斜角θは、８０°＞θ＞３０°が好ましく、さらに好ましくは、７５°＞θ＞５５°で、本構成では約５７°である。
【００１３】
図５Ａ〜図５Ｃは、気液接触部材５に電解水を滴下する電解水供給手段を示す。
ＰＥＴ樹脂製の気液接触部材５の下方には、水受皿９（図３参照）が配置され、この水受皿９には、給水タンク支持皿１０が連接されている。この給水タンク支持皿１０には、当該支持皿１０内に塩素イオンを含む水道水を供給する給水タンク１１と、循環ポンプ１３とが配置されている。この循環ポンプ１３には電解槽３１が接続され、この電解槽３１には電解水供給管１７が接続されている。この電解水供給管１７は、外周部に多数の散水孔（図示せず）を備えて構成され、図５Ｂに示すように、気液接触部材５の上縁部に形成された散水ボックス５Ｃ中に挿入されている。
【００１４】
図５Ａに示すように、電解槽３１は、水受皿９及び給水タンク支持皿１０より上方に配置され、このため、電解槽３１には循環ポンプ１３が運転を開始すると、給水タンク支持皿１０から吸い上げられた水が貯留され、循環ポンプ１３が運転を停止すると、電解槽３１内の水は重力により給水タンク支持皿１０に自然落下し、電解槽３１が空になる。
【００１５】
この電解槽３１には、図５Ｃに示すように、電極３２、３３を備え、電極３２、３３は、通電された場合、電解槽３１に流入した水道水を電気分解して活性酸素種を生成させる。ここで、活性酸素種とは、通常の酸素よりも高い酸化活性を持つ酸素と、その関連物質のことであり、スーパーオキシドアニオン、一重項酸素、ヒドロキシルラジカル、或いは過酸化水素といった、いわゆる狭義の活性酸素に、オゾン、次ハロゲン酸等といった、いわゆる広義の活性酸素を含めたものとする。電解槽３１は、気液接触部材５に接近して配置され、水道水を電気分解して生成された活性酸素種を、ただちに気液接触部材５に供給できるように構成される。
【００１６】
電極３２，３３は、例えばベースがＴｉ（チタン）で皮膜層がＩｒ（イリジウム）、Ｐｔ（白金）から構成された電極板であり、この電極３２、３３に印加する電流値は、電流密度で数ｍＡ（ミリアンペア）／ｃｍ2（平方センチメートル）〜数十ｍＡ／ｃｍ2として、所定の遊離残留塩素濃度（例えば１ｍｇ（ミリグラム）／ｌ（リットル））を発生させる。
【００１７】
上記電極３２，３３により水道水に通電すると、カソード電極では、
４Ｈ+＋４ｅ-＋（４ＯＨ-）→２Ｈ2＋（４ＯＨ-）
の反応が起こり、アノード電極では、
２Ｈ2Ｏ→４Ｈ+＋Ｏ2＋４ｅ-
の反応が起こると同時に、
水に含まれる塩素イオン（水道水に予め添加されているもの）が、
２Ｃｌ-→Ｃｌ2＋２ｅ-
のように反応し、さらにこのＣｌ2は水と反応し、
Ｃｌ2＋Ｈ2Ｏ→ＨＣｌＯ＋ＨＣｌ
となる。
【００１８】
この構成では、電極３２，３３に通電することで、殺菌力の大きいＨＣｌＯ（次亜塩素酸）が発生し、この次亜塩素酸が供給された気液接触部材５に空気を通過させることにより、この気液接触部材５で雑菌が繁殖することを防止でき、気液接触部材５を通過する空気中に浮遊するウィルスを不活化することができる。また、臭気も気液接触部材５を通過する際に、電解水中の次亜塩素酸と反応し、イオン化して溶解することで、空気中から除去され、脱臭される。
【００１９】
床置き式空気除菌装置１は、この床置き式空気除菌装置１の各部を中枢的に制御する制御部３０を備えている。図６は、制御部３０とその周辺構成を示すブロック図である。
【００２０】
制御部３０は、マイコン３４、記憶部３５、給水要求カウンタ３８、入力部３６及び出力部３７を備え、操作蓋２Ｄを開くと露出する操作パネルと遠隔操作用のリモートコントローラ４０（以下、「リモコン」という。）を介して、ユーザから各種指示を入力する。
マイコン３４は、ユーザからの各種指示等に従い、ＥＥＰＲＯＭ等の不揮発性メモリである記憶部３５に予め記憶されている制御プログラムに基づいて、電解槽３１、送風ファン７、循環ポンプ１３等を制御するものである。
【００２１】
入力部３６は、電極３２、３３、槽温度センサ４４、電解槽フロートスイッチ４２及び水受皿フロートスイッチ４３からの検出信号が入力されるインタフェースであり、出力部３７は、電極３２、３３に電力を出力するためのインタフェースである。
マイコン３４は、入力部３６を介して水受皿フロートスイッチ４３から水無しの検出信号を入力すると給水要求を発行し、給水報知ランプ（図示せず）を点灯させ、また、給水要求カウンタ３８は、給水要求の発行回数をカウントし、ユーザが給水を行った際にカウント値をリセットする。
なお、マイコン２２、不揮発性メモリ２３、給水要求カウンタ３８、入力部３６及び出力部３７は、基板に実装され、図示しない電装ボックスに収納されている。
【００２２】
次に、この制御部３０に接続される電源４１、槽温度センサ４４、電解槽フロートスイッチ４２、水受皿フロートスイッチ４３、電極３２、３３、警告用ランプ３９を説明する。
電源４１は、床置き式空気除菌装置１を動作させるための電源であり、操作パネルの電源スイッチが投入されると、制御部３０に接続された機器に電力を供給する。
槽温度センサ４４は、電解槽３１内に配置される温度センサが適用され、電解槽３１内の電解水の温度を検出する。
【００２３】
電解槽フロートスイッチ（電解槽水検出手段）４２は、電解槽３１内に予め定められた許可水位以上の電解水が有るか否か検出することにより、電解槽３１内の水の有無を検出する。
水受皿フロートスイッチ（水受皿水検出手段）４３は、水受け皿９内に予め定められた許可水位以上の電解水が有るか否か検出することにより、電解槽３１内の水の有無を検出する。
また、電解槽３１に設けられた電極（電解槽導通検出手段）３２、３３は、水道水の電気分解に使用されるだけでなく、電解水の導電率を検出するための検出用電極としても使用される。
警告用ランプ３９は、循環ポンプ１３、電解槽フロートスイッチ４２及び水受皿フロートスイッチ４３の異常を報知する報知手段として機能するものであり、循環ポンプ１３の異常を報知する循環ポンプ異常警告ランプ、電解槽フロートスイッチ４２の異常を報知する電解槽ＦＳ（フロートスイッチ）異常警告ランプ及び水受皿フロートスイッチ４３の異常を報知する水受皿ＦＳ異常警告ランプで構成され、前パネル２Ｂに取り付けられている。
【００２４】
次に、床置き式空気除菌装置１の空気除菌時の動作を説明する。
図１において、操作蓋２Ｄを開くと、図示を省略した操作パネルが内側に設けられており、この操作パネルを操作することで、床置き式空気除菌装置１の運転が開始される。この運転が開始されると、図７に示すように、循環ポンプ１３が駆動され、給水タンク支持皿１０に溜まった水道水が、電解槽３１に供給される。
この電解槽３１では、電極３２、３３への通電により、水道水が電気分解されて活性酸素種を含む電解水が生成される。この電解水は、電解水供給管１７の散水孔（図示せず）を経て、散水ボックス５Ｃ中に散水され、ここから気液接触部材５の上縁部にしみ込み、下部に向けて徐々に浸透する。
【００２５】
気液接触部材５から滴下した電解水は、水受皿９が受けて、水受皿９の一端側の傾斜面により給水タンク支持皿１０内に流入し、そこに貯留される。本構成では、水が循環式となっており、蒸発等により水量が減った場合、給水タンク１１内の水道水が、給水タンク支持皿１０に適量供給される。この給水タンク１１は、開閉蓋２Ｅ（図１参照）を開いて取り出し自在に配置され、この給水タンク１１を取り出して水道水の補給が可能となる。
【００２６】
電解水が浸透した気液接触部材５には、送風ファン７を経て、矢印Ｘで示すように、室内の空気が供給される。この室内の空気は、気液接触部材５にしみ込んだ活性酸素種に接触して、再び、室内に吹き出される。この活性酸素種は、室内の空気中に、例えばインフルエンザウィルスが浮遊した場合、その感染に必須の当該ウィルスの表面蛋白（スパイク）を破壊、消失（除去）する機能を持ち、これを破壊すると、インフルエンザウィルスと、当該ウィルスが感染するのに必要な受容体（レセプタ）とが結合しなくなり、これによって感染が阻止される。実証試験の結果、インフルエンザウィルスが浮遊した空気を、本構成の気液接触部材５に通した場合、当該ウィルスを９９％以上除去できることが判明した。
【００２７】
ところで、本実施形態では、空気除菌運転の際に、重要部品である循環ポンプ１３、電解槽フロートスイッチ４２、水受皿フロートスイッチ４３の異常を検出する異常検出処理（異常特定処理）を実行している。
図８は循環ポンプ１３と電解槽フロートスイッチ４２の異常検出処理を示すフローチャートである。なお、この異常検出処理は、床置き式空気除菌装置１の電源が投入されると、繰り返し実行される。
先ず、床置き式空気除菌装置１の電源が投入されると、制御部３０は、運転中か（システム運転中）否かを判定する（ステップＳａ１）。運転停止中の場合、制御部３０は、記憶部３５の所定領域に格納される異常情報をリセットする。具体的には、制御部３０は、異常情報として、循環ポンプ１３の正常／異常を示すフラグ情報ＰＵと、電解槽フロートスイッチ（ＳＷ）４２の正常／異常を示すフラグ情報ＥＦとを記憶部３５に格納し、これらフラグ情報ＰＵ、ＥＦを、正常を示すリセット値に設定する（ステップＳａ６）。
【００２８】
一方、床置き式空気除菌装置１が運転中の場合（ステップＳａ１：Ｙｅｓ）、制御部３０は、水受皿フロートスイッチ４３が水有りと検出しているか否かを判定する（ステップＳａ２）。制御部３０は、水受皿フロートスイッチ４３が水無しと検出している場合（ステップＳａ２：Ｎｏ）、ステップＳａ６の処理に移行し、異常情報をリセットする。
【００２９】
一方、ステップＳａ２において、制御部３０は、水受皿フロートスイッチ４３が水有りと検出している場合（ステップＳａ２：Ｙｅｓ）、循環ポンプ１３の運転時間が、電解槽３１に電解水を溜めるのに十分な時間（例えば２分間）以上か否かを判定する（ステップＳａ３）。制御部３０は、運転時間が上記時間（２分）未満と判定すると（ステップＳａ３：Ｎｏ）、ステップＳａ６の処理に移行し、異常情報をリセットする。
【００３０】
一方、制御部３０は、運転時間が上記時間（２分）以上と判定すると（ステップＳａ３：Ｙｅｓ）、電解槽フロートスイッチ４２が水有りと検出しているか否かを判定する（ステップＳａ４）。制御部３０は、電解槽フロートスイッチ４２が水有りと検出していると判定すると（ステップＳａ４：Ｙｅｓ）、ステップＳａ６の処理に移行し、異常情報をリセットする。
【００３１】
一方、制御部３０は、電解槽フロートスイッチ４２が水無しと検出していると判定すると（ステップＳａ４：Ｎｏ）、電極３２、３３間に電力を供給し、電極３２、３３間を流れた電流値から、電解槽３１内の電解水の導電率を測定し、電解槽３１の水の有無を判定する（ステップＳａ５）。
このステップＳａ５の判定結果が電解槽３１に水無しの場合（ステップＳａ５：Ｙｅｓ）、制御部３０は、電解槽フロートスイッチ４２も電解槽３１に水無しと検出しているにも関わらず、水受皿９に貯留された水が電解槽３１に送られていないと判定されるという不整合が生じると、制御部３０は、循環ポンプ１３に異常があると判定し、循環ポンプ１３の正常／異常を示すフラグ情報ＰＵを、異常を示すＯＮ値に設定し、このフラグ情報ＰＵに従って循環ポンプ１３の異常を報知すべく、警告用ランプ３９の循環ポンプ異常警告ランプを点灯させる。
【００３２】
一方、ステップＳａ５の判定結果が電解槽３１に電解水有りの場合（ステップＳａ５：Ｎｏ）、つまり、ステップＳａ４の判定により電解槽フロートスイッチ４２が電解槽３１内に電解水無しと検出しているにも関わらず、電解槽３１内の電極３２、３３間に電解水有りと判定されるという不整合が生じると、制御部３０は、電解槽フロートスイッチ４２に異常があると判定し、電解槽フロートスイッチ４２の正常／異常を示すフラグ情報ＥＦを、異常を示すＯＮ値に設定し、このフラグ情報ＥＦに従って電解槽フロートスイッチ４２の異常を報知すべく、警告用ランプ３９の電解槽ＦＳ異常警告ランプを点灯させる。
【００３３】
ステップＳａ４の処理において、電解槽フロートスイッチ４２が水無しと検出すると（ステップＳａ４：Ｙｅｓ）、制御部３０は、循環ポンプ１３及び電解槽フロートスイッチ４２の異常情報をリセットする。
【００３４】
図９は電解槽フロートスイッチ４２の異常検出処理（異常特定処理）を示すフローチャートである。この異常検出処理は、電解槽フロートスイッチ４２が電解槽３１に水有りと検出している場合に、制御部３０によって実行される。なお、この異常検出処理は、床置き式空気除菌装置１の電源が投入されると、繰り返し実行される。
この検出処理にあっては、ユーザが床置き式空気除菌装置１の電源を投入すると、制御部３０は、床置き式空気除菌装置１が運転中（システム運転中）であるか否かを判定する（ステップＳｂ１）。制御部３０は、床置き式空気除菌装置１が運転停止中であると判定すると（ステップＳｂ１：Ｎｏ）、ステップＳｂ７の処理に移行し、異常情報をリセットする。
【００３５】
一方、制御部３０は、床置き式空気除菌装置１が運転中であると判定すると（ステップＳｂ１：Ｙｅｓ）、送風ファン７のモータの異常等を報知する警報が警報中であるか否かを判定する（ステップＳｂ２）。送風ファン７のモータの異常等を報知する警報が警報中であると判定した場合（ステップＳｂ２：Ｎｏ）、制御部３０は、床置き式空気除菌装置１の運転を停止して循環ポンプ１３の運転を停止し、ステップＳｂ７の処理に移行し、異常情報をリセットする。
【００３６】
一方、警報中でないと判定した場合（ステップＳｂ２：Ｙｅｓ）、制御部３０は、制御部３０は、水受皿フロートスイッチ４３が水有りと検出しているか否かを判定する（ステップＳｂ３）。水受皿フロートスイッチ４３が水無しと検出している場合（ステップＳｂ３：Ｎｏ）、制御部３０は、ステップＳｂ７の処理に移行し、異常情報をリセットする。
【００３７】
一方、ステップＳｂ３において、水受皿フロートスイッチ４３が水有りと検出している場合（ステップＳｂ３：Ｙｅｓ）、制御部３０は、循環ポンプ１３が運転停止中であるか否かを判定する（ステップＳｂ４）。制御部３０は、循環ポンプ１３が運転中であると判定した場合には（ステップＳｂ４：Ｎｏ）、ステップＳｂ７の処理に移行し、異常情報をリセットする。
【００３８】
一方、制御部３０は、循環ポンプ１３が運転停止中であると判定すると（ステップＳｂ４：Ｙｅｓ）、電解槽３１内の電解水が無くなるのに十分な時間（例えば３分間）を超えて循環ポンプ１３が運転停止中であるか否かを判定する（ステップＳｂ５）。制御部３０は、循環ポンプ１３が十分な時間運転停止中でないと判定した場合には（ステップＳｂ５：Ｎｏ）、ステップＳｂ７の処理に移行し、異常情報をリセットする。
【００３９】
一方、このステップＳｂ５の判定結果が循環ポンプ１３は十分な時間運転停止中である場合（ステップＳｂ５：Ｙｅｓ）、つまり、循環ポンプ１３が電解槽３１内の電解水が流出して無くなるのに十分な時間に亘って停止しているにも関わらず、電解槽フロートスイッチ４２は水有りと判定されるという不整合が生じると、制御部３０は、電解槽フロートスイッチ４２に異常があると判定し、電解槽フロートスイッチ４２の正常／異常を示すフラグ情報ＥＦを、異常を示すＯＮ値に設定し、このフラグ情報ＥＦに従って電解槽フロートスイッチ４２の異常を報知すべく、警告用ランプ３９の電解槽ＦＳ異常警告ランプを点灯させる。
【００４０】
図１０は水受皿フロートスイッチ４３の異常検出処理（異常特定処理）を示すフローチャートである。なお、この異常検出処理は、床置き式空気除菌装置１の電源が投入されると、繰り返し実行される。
先ず、制御部３０は、床置き式空気除菌装置１が運転中であるか否かを判定する（ステップＳｃ１）。床置き式空気除菌装置１が運転停止中であると判定した場合（ステップＳｃ１：Ｎｏ）、制御部３０は、給水要求をリセット（給水報知ランプが点灯中の場合は消灯）する（ステップＳｃ８）。
【００４１】
一方、床置き式空気除菌装置１が運転中であると判定した場合（ステップＳｃ１：Ｙｅｓ）、制御部３０は、水受皿フロートスイッチ４３が水有りと検出しているか否かを判定する（ステップＳｃ２）。水受皿フロートスイッチ４３が水有りと検出している場合（ステップＳｃ２：Ｎｏ）、制御部３０は、給水要求カウンタ３８をリセットし（ステップＳｃ７）、給水要求をリセットする（ステップＳｃ８）。
【００４２】
一方、水受皿フロートスイッチ４３が水無しと検出した場合（ステップＳｃ２：Ｙｅｓ）、制御部３０は、給水要求中か否かを判定する（ステップＳｃ３）。ここで、ユーザが給水を行い、ステップＳｃ２で、制御部３０が水受け皿９に電解水があると判定するまで、給水要求は維持される。制御部３０は、給水要求中と判定すると（ステップＳｃ３：Ｙｅｓ）、一連の処理を終了する。
【００４３】
一方、給水要求中でないと判定した場合（ステップＳｃ３：Ｎｏ）、制御部３０は、給水要求をセットし、給水要求カウンタ３８のカウントを１カウント増やし（ステップＳｃ４）、カウント値が水受皿フロートスイッチ４３に異常が生じていると判定するのに十分なカウント値（例えば５回）よりも大きいか否かを判定する（ステップＳａ５）。給水要求カウンタ３８のカウント値が大きくない（カウント値が５回以下）と判定した場合（ステップＳｃ５：Ｎｏ）、制御部３０は、一連の処理を終了する。
【００４４】
一方、カウント値が大きいと判定した場合（ステップＳｃ５：Ｙｅｓ）、制御部３０は、水受皿フロートスイッチ４３に異常があると判定する。
この場合、制御部３０は、水受皿フロートスイッチ４３に異常があると判定し、水受皿フロートスイッチ４３の正常／異常を示すフラグ情報ＰＦを、異常を示すＯＮ値に設定し、このフラグ情報ＰＦに従って水受皿フロートスイッチ４３の異常を報知すべく、警告用ランプ３９の水受皿ＦＳ異常警告ランプを点灯させる。
【００４５】
以上説明したように、本実施の形態によれば、水受皿フロートスイッチ４３が水有りと検出している状態で循環ポンプ１３を運転し、電解槽フロートスイッチ４２とが水有りと検出したときに、電極３２、３３間を流れた電流値から電解槽３１に水有りと検出した場合に、循環ポンプ１３の異常と特定し、電極３２、３３間を流れた電流値から電解槽３１に水無しと検出した場合に、電解槽フロートスイッチ４２の異常と特定することができる。すなわち、電解槽フロートスイッチ４２の検出結果と、電極３２、３３を利用した水の有り無しの検出結果との組み合わせに基づき、異常個所を特定することができる。
【００４６】
また、電解槽フロートスイッチ４２が水有りを検出し、循環ポンプ１３の運転停止時間が電解槽３１が水無しとなる時間の経過後も電解槽フロートスイッチ４２を水有りを検出している場合には、電解槽フロートスイッチ４２の異常と特定することができる。
さらに、水受皿フロートスイッチ４３が水無しを検出した場合に発行される給水要求の回数をカウントし、カウント値が水受皿フロートスイッチ４３に異常が生じていると判定するのに十分なカウント値（例えば５回）よりも大きいか否かを判定するので、水受皿フロートスイッチ４３に異常を検出することができる。
【００４７】
以上、一実施形態に基づいて本発明を説明したが、本発明は、これに限定されるものではない。例えば、活性酸素種としてオゾン（Ｏ3）や過酸化水素（Ｈ2Ｏ2）を発生させる構成としても良い。この場合、電極として白金タンタル電極を用いると、イオン種が希薄な水から、電気分解により高効率に安定して活性酸素種を生成できる。
このとき、アノード電極では、
２Ｈ2Ｏ→４Ｈ+＋Ｏ2＋４ｅ-
の反応と同時に、
３Ｈ2Ｏ→Ｏ3＋６Ｈ+＋６ｅ-
２Ｈ2Ｏ→Ｏ3＋４Ｈ+＋４ｅ-
の反応が起こりオゾン（Ｏ3）が生成される。またカソード電極では、
４Ｈ+＋４ｅ-＋（４ＯＨ-）→２Ｈ2＋（４ＯＨ-）
Ｏ2-＋ｅ-＋２Ｈ+→Ｈ2Ｏ2
のように、電極反応によりＯ2-が生成したＯ2-と溶液中のＨ+とが結合して、過酸化水素（Ｈ2Ｏ2）が生成される。
【００４８】
この構成では、電極に通電することにより、殺菌力の大きいオゾン（Ｏ3）や過酸化水素（Ｈ2Ｏ2）が発生し、これらオゾン（Ｏ3）や過酸化水素（Ｈ2Ｏ2）を含んだ電解水を作ることができる。この電解水中におけるオゾンもしくは過酸化水素の濃度を、対象ウィルス等を不活化させる濃度に調整し、この濃度の電解水が供給された気液接触部材５に空気を通過させることにより、空気中に浮遊する対象ウィルス等を不活化することができる。また、臭気も気液接触部材５を通過する際に、電解水中のオゾンまたは過酸化水素と反応し、イオン化して溶解することで、空気中から除去され、脱臭される。
【００４９】
上記実施形態では、気液接触部材５への電解水滴下手段を説明したが、これに限定されず、気液接触部材５に電解水を浸透させてもよい。この場合、図示は省略したが例えば水受皿９に電解水を滞留させ、ここに気液接触部材５の下縁部を水没し、いわゆる毛細管現象によって電解水を吸い上げる構成としてもよい。
【図面の簡単な説明】
【００５０】
【図１】本発明の一実施形態を示す斜視図である。
【図２】内部構成を示す斜視図である。
【図３】筐体の縦断面図である。
【図４】気液接触部材の正面図である。
【図５】気液接触部材に電解水を滴下する手段を示す系統図であり、Ａは側面図、Ｂは散水ボックスの断面図、Ｃは電解槽の構成図である。
【図６】制御部の構成を示すブロック図である。
【図７】空気浄化の説明図である。
【図８】循環ポンプ及び電解槽フロートスイッチが水無しと判定したときの異常を検出する検出処理を示すフローチャートである。
【図９】電解槽フロートスイッチが水有りと判定したときの異常を検出する検出処理を示すフローチャートである。
【図１０】水受皿フロートスイッチ４３の異常を検出する検出処理を示すフローチャートである。
【符号の説明】
【００５１】
１  床置き式空気除菌装置（空気除菌装置）
５  気液接触部材
９  水受皿
１３  循環ポンプ（ポンプ）
３１  電解槽
３２、３３  電極（電解槽導通検出手段）
３８  給水要求カウント手段
４２  電解槽フロートスイッチ（電解槽水検出手段）
４３  水受皿フロートスイッチ（水受皿水検出手段）
【図１】
2007175140.tif 000003
【図２】
2007175140.tif 000004
【図３】
2007175140.tif 000005
【図４】
2007175140.tif 000006
【図５】
2007175140.tif 000007
【図６】
2007175140.tif 000008
【図７】
2007175140.tif 000009
【図８】
2007175140.tif 000010
【図９】
2007175140.tif 000011
【図１０】
2007175140.tif 000012